(57)【要約】 疾病低減教育およびリスク評価のためのシステム、メソッドおよびソフトウェア製品が開示される。一実施例では、コンピューター支援の疾病リスク評価および教育には、ユーザーの疾病リスク評価を対象とした少なくとも複数の質問を生成するプロセッサーが含まれる。プロセッサーは更に、ユーザーから受けた返答に基づきユーザーのリスク行動や性的行為を予測指導するよう設定された一つかそれ以上のプランを生成する操作能力がある。最低一つの個人データ入力および表示デバイス（PDDA) がプロセッサーに伝達可能なように連結され、そのプロセッサーは少なくとも複数の質問を表示し、ユーザーからの対応返答を受けるように操作可能である。【選択図】      図１
2008518365.tif 000002
【特許請求の範囲】
【請求項１】
コンピューター支援の疾病リスク評価および教育用システムで、
ユーザーの疾病リスク評価を対象とする少なくとも複数の質問を生成するよう設定され、ユーザーからの返答を基に、前記ユーザーのリスク行動および性的行為を予測指導するよう設定された一つかそれ以上のプランを生成するよう操作可能なプロセッサーと、
前記プロセッサーに伝達可能なように連結され、少なくとも前記複数の質問を表示し前記ユーザーからの対応返答を受けるよう操作可能である少なくとも一つの個人データ入力および表示デバイス（ＰＤＤＡ）と、から成るシステム。
【請求項２】
前記プロセッサーは更に一つのメインフレームのコンピューターデバイスおよびＰＣデバイスの一つから成る請求項１のシステム。
【請求項３】
前記少なくとも一つのＰＤＤＡは更にタブレットＰＣデバイスの表示面に前記対応返答を受けるよう設定された前記タブレットＰＣデバイスから成る請求項１のシステム。
【請求項４】
更に一つかそれ以上の前記ＰＤＤＡと前記プロセッサーとの間に置かれ、一つかそれ以上の前記ＰＤＤＡに前記プロセッサーを伝達可能なように連結する操作可能な通信システムから成る請求項１のシステム。
【請求項５】
前記通信システムは前記プロセッサーを無線で一つかそれ以上の前記ＰＤＤＡと通信可能なように設定されている請求項４のシステム。
【請求項６】
更にユーザー、および一つかそれ以上の前記プランからの返答を安全に保存するよう設定されている前記プロセッサーに連結したデータベースから成る請求項１のシステム。
【請求項７】
前記プロセッサーから前記ＰＤＤＡに伝達される前記ユーザーへの選択する動作と音声内容を表示するよう前記ＰＤＤＡは設定される請求項１のシステム。
【請求項８】
前記ＰＤＤＡは更に手書きの入力を受け入れ、前記入力を前記プロセッサーに伝達するよう設定される請求項７のシステム。
【請求項９】
一つかそれ以上の前記プランのコピーを生成するよう設定された前記プロセッサーに連結されたデータ出力デバイスから成る請求項１のシステム。
【請求項１０】
疾病リスク評価および教育サービスを提供するソフトウェア製品で、
ユーザーから選択された識別情報を要請するよう設定された摂取モジュールと、
前記ユーザーから選択された疾病リスク情報を要請するよう設定された摂取モジュールと、
前記ユーザーの少なくとも疾病リスクを示す個人評価を生成するよう設定されたリスクフィードバックモジュールと、
前記ユーザーの少なくともリスク低減プランを生成するよう設定されたリスク低減モジュールと、から成るソフトウェア製品。
【請求項１１】
前記摂取モジュールは更に最低一つの秘密パスワードおよび申請者が知っている個人情報を受け入れるため操作可能なユーザーインタフェースを生成するよう設定されている請求項１０のソフトウェア製品。
【請求項１２】
前記ユーザーのインタフェースは更に、前記ユーザーに説明情報を提供するために前記ユーザーによって選択可能なガイドのグラフィック描写を含む請求項１１のソフトウェア製品。
【請求項１３】
前記リスク評価モジュールは更に情報ビデオ表示、医療同意書のうち最低一つと、前記ユーザーの疾病リスクステータスを対象とした最低一つの質問を提供するために操作可能なユーザーインタフェースを生成するよう設定される請求項１０のソフトウェア製品。
【請求項１４】
前記ユーザーインタフェースは更に疾病の状態に対応するのに前記ユーザーが使う可能性のある医薬品を対象にした前記ユーザーからの最低一つの返答を要請するよう設定される請求項１３のソフトウェア製品。
【請求項１５】
前記ユーザーインタフェースは前記ユーザーに最低一枚の医薬品のグラフィック描写を提供し、更に前記医薬品の認識される効用に関する確信度をユーザーに表現させるよう設定される請求項１４のソフトウェア製品。
【請求項１６】
前記リスクフィードバックモジュールは更に、前記リスク評価モジュールに提供される前記ユーザーの一つかそれ以上の返答と相互に関係する、一つかそれ以上の教育用ビデオ内容のオプションを前記ユーザーに提供するよう操作可能なユーザーインタフェースを生成するよう設定されている請求項１０のソフトウェア製品。
【請求項１７】
前記ユーザーインタフェースにはリスクレベルを視覚的に前記ユーザーに伝達するよう設定された一つかそれ以上のグラフィックアイコンが含まれる請求項１６のソフトウェア製品。
【請求項１８】
前記リスク低減モジュールは更に前記リスク低減プランを策定する上で前記ユーザーの意図と確信度の評価対象として複数のオプションで前記ユーザーに提示するよう操作可能なユーザーインタフェースを生成するよう設定される請求項１０のソフトウェア製品。
【請求項１９】
前記ユーザーインタフェースは更に前記ユーザーに前記リスク低減プランの印刷コピーを生成するよう設定される請求項１８のソフトウェア製品。
【請求項２０】
疾病リスク評価および教育のメソッドで、ユーザーから最低一つの識別用特徴を獲得し、
前記ユーザーの疾病予防を対象とする一つかそれ以上の選択ビデオセグメントを参照し、
前記ユーザーの行動および病歴を対象とする複数の質問を生成し、
対応する返答を前記複数の質問に対して処理し、前記疾病への曝露を回避するためのプランを生成する、ことから成るメソッド。
【請求項２１】
ユーザーから最低一つの識別用特徴を獲得することは更に、視聴覚内容を前記ユーザーに提供するセッションガイドの選択と、前記ユーザーに理解できる言語を選択することの少なくとも一つから成る請求項２０のメソッド。
【請求項２２】
疾病予防を対象とする一つかそれ以上の選択ビデオセグメントを参照することは、更に診断処置に関連する情報を提供するビデオセグメントを参照し、前記処置用の同意書を提供することから成る請求項２０のメソッド。
【請求項２３】
前記ユーザーの行動および病歴を対象とする複数の質問の生成は更に、前記ユーザーが服用しているかもしれない医薬品に関する最低一つの質問の提示と、前記ユーザーの心理状態に関する最低一つの質問から成る請求項２０のメソッド。
【請求項２４】
前記ユーザーが服用しているかもしれない医薬品に関して最低一つの質問を前記ユーザーに提示することは、更に前記ユーザーに前記医薬品のグラフィック描写を提供することがふくまれる請求項２３のメソッド。
【請求項２５】
前記対応する返答を前記複数の質問に対して処理し、前記疾病への曝露回避を対象とするプランを生成することは更に、一つかそれ以上の行動オプションを前記ユーザーに提示し、前記オプションへの前記対応する返答に基づき前記プランを変更することから成る請求項２０のメソッド。
【発明の詳細な説明】
【技術分野】
【０００１】
関連出願の参照
本出願は２００４年１０月２６日申請の「COMPUTER ASSESSMENT AND RISK REDUCTION EDUCATION FOR HIV/STDs（HIV/STDのためのコンピューター評価とリスク低減教育）」と題した仮申請通し番号６０／６２２，５２９番と、「SYSTEMS, METHODS AND COMPUTER PRODUCT FOR DISEASE RISK REDUCTION, EDUCATION AND ASSESSMENT（疾病リスク低減教育と評価のためのシステム法とコンピューター製品）」と題し米国速達郵便番号ＥＶ５０９１７６１６５ＵＳ（代理人整理番号ＯＮＬＮ−１００２）により２００５年１０月２６日申請の米国特許出願への優先権を申請するもので、その開示内容は参照により完全に本開示に含まれる。
【０００２】
著作権表示
本開示内容は米国および国際著作権法により保護される場合がある。Copyright(c)2００５年度資源オンライン。無断複写・転載を禁じる。本特許文書の一開示部分には著作権保護の対象となる内容が含まれる。著作権の所有者は米国特許商標庁の特許控えまたは記録に表示されるとおりに、ＵＳＰＴＯによる正式な公開後に特許文書または特許開示内容を何者でも複製することには異存はないが、それ以外ではいかなる理由であろうとも全著作権を保留する。
【０００３】
本発明の技術分野
本発明は一般に疾病管理のための情報管理システムおよびメソッドに関連し、更に詳しくはＨＩＶ／ＳＴＤに冒された個人の管理と評価に関連する情報入力、分析および出力のためのコンピューター利用システムとメソッドに関する。
【背景技術】
【０００４】
本発明の背景技術
後天性免疫不全症候群（エイズ）は世界全体における公衆衛生への多大な脅威として認識されている。米国内だけでも約８００，０００人から９００，０００人のＨＩＶ陽性保持者が存在すると推定されている。更には約３００，０００人が現在もエイズ感染者であり、毎年約４０，０００人が新たに感染者の宣告を受けている。従って１９９０年代半ばまでには、エイズはＨＩＶ感染者にとって衛生への多大な脅威となった。
【０００５】
最近開発された治療方法によってエイズ患者の生存率は大幅に改善されたものの、エイズ感染者の数は確実に増加している。個人間でのＨＩＶウィルス感染では行動要因が強く関係してくるため、このような行動パターンの修正が重要なポイントとなる。従って、過去の修正努力によって多くの個人に行動様式の変更をもたらしており、ＨＩＶウィルス感染者増加率の全体的な低減に貢献してきた。
【０００６】
しかしながら一定の高リスク行動要因はいまだに継続しており、それらには一般に避妊手段をとらない性接触、静脈内麻薬使用者間での皮下注射器のまわし利用、その他の既知の要因が含まれる。前記の行動パターンには個人の秘密情報の開示が関わってくるため、ＨＩＶやその他性感染症（ＳＴＤ）に関する貴重な情報の普及は、ＨＩＶ感染の高リスク者には届かない可能性がある。更には潜在的高リスク行動が非英語圏や識字能力の限られた人々の間で続いている。
【発明の開示】
【発明が解決しようとする課題】
【０００７】
結果的に、疾病感染または伝染の危険性を持つ個人の秘密情報開示の可能性を高めるシステムやメソッドが現在必要である。更には、限られた言語能力および／または異言語能力を持つリスク保持者を受け入れるシステムが必要である。また更には、リスク保持者の行動パターンを予測指導できるようなプランを生成するシステムやメソッドが必要である。
【課題を解決するための手段】
【０００８】
要約
本発明は疾病低減教育および／またはリスク評価のためのシステム、メソッド並びにソフトウェア製品で構成される。一形態において、コンピューター支援の疾病リスク評価および／または教育用システムには、ユーザーに対する疾病リスク評価用に一つかそれ以上の質問を生成するプロセッサーが含まれる。プロセッサーは更に、ユーザーから受けた返答に基づきユーザーのリスク行動や性的行為に対して予測指導するよう設定された一つかそれ以上のプランを生成する操作能力がある。最低一つの個人データ入力および表示デバイス（ＰＤＤＡ）がプロセッサーに伝達可能なように連結され、そのプロセッサーは最低一つかそれ以上の質問を表示しユーザーからの対応返答を受けるよう操作可能である。
【０００９】
以下の図面を参照して本発明の実施例を次に詳しく説明する。
【発明を実施するための最良の形態】
【００１０】
詳細な説明
本発明は疾病リスク低減教育およびリスク保持者評価用システム、メソッドおよびコンピューター製品に関連する。本発明の一定の実施例の多くの特定詳細は、係る実施例への徹底した理解力を提供するため、以下の説明および図１から図１６に示す。ただし当業者は本発明に追加の実施例が含まれる、または本発明が以下説明の詳細の一部なしでも実施できることを理解するであろう。
【００１１】
図１は本発明の一実施例によるコンピューター支援の疾病リスク評価と教育システム１０のブロック図である。システム１０には最低一つの個人データ入力および表示デバイス（ＰＤＤＥ）１２が含まれる。関連情報をＰＤＤＥ１２のユーザーから入力できるように、ＰＤＤＥ１２はコンピューター支援の面接（ＣＡＩ）をサポートするように適切に設定される。従来の鉛筆と紙によるデータ収集が必要ないよう、ＰＤＤＥ１２はユーザーとの視聴覚通信を有利に可能にする音声コンピューター支援による自己面接（ＡＣＡＳＩ）表示書式をサポートするように設定される。ＰＤＤＥ１２には本発明の特定な一実施例において適切な視覚ディスプレイ付きデスクトップまたはラップトップ用パーソナルコンピューティング（ＰＣ）デバイスが含まれる可能性があるが、ＰＤＤＥ１２はユーザーが指、スタイラス、またはその他の適切な手段でディスプレイに触れることによってディスプレイに入力し、ユーザーからの返答を受信操作できる表示面を持つタブレットＰＣデバイスである。他にも適切な代替デバイスは存在するが、適切なタブレットＰＣデバイスの一つとしてカリフォルニア州パロアルト市のヒューレットパッカード社製ＨＰ−ＣＯＭＰＡＱ  ＴＣ４２００タブレットＰＣが挙げられる。その他にも現在使用できるオペレーティングシステムは存在するが、タブレットＰＣはワシントン州レッドモンド市のマイクロソフトコーポレーション製マイクロソフトウィンドウズ（登録商標）ＸＰタブレットＰＣ２００５年版のオペレーティングシステム用に設定できる。タブレットＰＣの利用はキーボード、マウスまたはその他類似のデバイスのような従来のデータ入力デバイスでの限られた経験を持つ個人でも、依頼されたデータをシステムに容易に提供することを有利に可能にする。また更に、タブレットＰＣは選択動作と音声内容をユーザーに表示するよう設定できるが、それはＭＰＥＧ符号化メソッドなどの適切なビデオおよび音声符号化メソッドによりユーザーが利用可能になる場合がある。一つの適切な符号化メソッドが、マイクロソフトコーポレーション製のウィンドウズメディアビデオアプリケーションソフトウェアで提供されている。タブレットＰＣはまた、ユーザーの手書き内容でもタブレットＰＣデバイスに入力できるよう、タブレットＰＣデバイスの表示面に「インク対応」の内容を入力するよう設定できる。例えば、これもマイクロソフトコーポレーション製のマイクロソフトタブレットＳＤＫアプリケーションソフトウェアも、手書き内容および/または図画資料をタブレットＰＣデバイスに入力できる。いずれにしても一つ以上のＰＤＤＡ１２が同時に使用される際には、ユーザーが相応のプライバシーをもってＰＤＤＡ１２に表示されるデータを入力して表示できるように、ＰＤＤＡ１２のそれぞれは一般的に相互に間隔があけられている、および/または例えば私用キオスク等の個別の私的領域にＰＤＤＡ１２を配置することで物理的にお互いから隠されている。
【００１２】
システム１０にはまた、最低一つのＰＤＤＡ１２と通信ポート１６の間の無線通信を操作できる通信システム１４が含まれる。従ってＰＤＤＡ１２がデータ信号を通信ポート１６と交換できるよう、適切なネットワークインタフェースカード（ＮＩＣ）で設定されてもよい。通信システム１４は、例えば無線周波（ＲＦ）または赤外線（ＩＲ）モードなどの任意の適応する無線通信モードで使える。通信システム１４は、比較的限定される領域に無線通信を提供するローカルエリアネットワーク（ＬＡＮ）を含むことができる。代わりに、通信システムは通信システム１４と地理的距離をおき電話線またはインターネットなどのテレコムネットワークと連携される他のＬＡＮを含む広域ネットワーク（ＷＡＮ）の少なくとも一部を含むことができる。いずれにしろ通信システム１４が伝達するデータ信号は、通信データの継続的安全性を確保するために適切に暗号化される。
【００１３】
引き続き図１を参照して、通信ポート１６はプロセッサー１８に連結される。プロセッサー１８には、プログラムされた指示とデータを受信し、受信した指示に従ってデータを処理するように操作可能な任意のコンピューターデバイスが含まれる。特にプロセッサー１８は、ＰＤＤＡ１２のユーザーにコンピューター支援のリスク評価と教育を提供するために操作可能な複数のソフトウェアモジュールをホストし実行するよう設定されている。簡単かつ一般用語で、ＰＤＤＡ１２を通してユーザーに適切な質問を伝達し、一般化されたリスク評価を決定するため質問への対応返答を受信処理し、またユーザーのリスク行動および性的行為を予測指導するよう操作可能な一つかそれ以上のプランを生成するようプロセッサーは設定されている。ソフトウェアモジュールは以下で詳細に説明する。プロセッサー１８はメインフレームのコンピューターデバイスまたはデスクトップのコンピューターデバイスのような個人用コンピューターデバイスでもよい。選択する周辺デバイスもプロセッサー１８に連結できるが、図を明確にするため図１には示されない。選択する周辺デバイスはユーザーにプロセッサー１８と通信できるよう操作可能であり、それに応じて表示デバイス、キーボード、マウスのような位置決めデバイス、またはその他の同様なデバイス、プロセッサー１８との音声通信を可能にするスピーカーおよび／またはマイクロフォン、並びにその他の周知の周辺デバイスを含むことができる。オプションとして、プロセッサー１８が行った処理作業を権限のない人員に観察される、またはアクセスされないよう、プロセッサー１８は一般にＰＤＤＡ１２から離れて配置される、および／またはそうでなければＰＤＤＡ１２に対して隔離されるか暗号化される。
【００１４】
システム１０はまたＰＤＤＡ１２から入手した情報を保存し、プロセッサー１８が生成する処理結果を保存するために操作できるデータ記憶ユニット２０を含む。データ記憶ユニット２０には磁気ディスクドライブのような大量の保存能力を提供できる任意の周知デバイスが含まれる。代わりに、フラッシュメモリーモジュールなどの他の周知の固体メモリーデバイスも使用できる。一般にデータ記憶ユニット２０は物理的にプロセッサー１８と共に配置されるため、権限のない人員はデータ保管ユニット２０の保存情報にアクセスできない。
【００１５】
適切に初期化した情報をユーザーに提供するよう操作できるデータ出力デバイス２２をプロセッサー１８に連結することができる。それに応じて、データ出力デバイス２２には印刷デバイスから取り外し可能な一つかそれ以上の紙のシートに適切に初期化された情報を印刷するデバイスを含むことができる。代わりに、データ出力デバイス２２を適切に初期化された情報を他のメディアに提供するよう設定することができる。例えばデータ出力デバイス２２には、磁気または光ディスクのような可搬型メモリーディスク上に情報を書くよう設定されたコンパクトディスクドライブを含むことができる。プロセッサー１８とデータ記憶ユニット２０はＰＤＤＡ１２のユーザーから物理的に隔離することはできるが、適切に初期化された情報をユーザーが取り出せるよう、データ出力デバイス２２は一般にユーザーにアクセス可能である（詳細は以下で説明する）。
【００１６】
引き続き図１を参照して、システム１０のオペレーションを以下で詳しく説明する。システム１０の個人ユーザー、またはその代わりの個人ユーザーグループは、識別情報をＰＤＤＡ１２に入力してシステム１０の実行可能なソフトウェアプログラムへのアクセスを許可される。アクセスが許可された後、セッションが開始される。セッションの初めに、ユーザーはＰＤＤＡ１２上のユーザーに提示される適切なガイドの視覚表示を基にセッション用のガイドを選択することができる。選択するガイドはセッション中ユーザーに視聴覚情報を提供し、様々な診断処置の説明など選択する主題について説明するが、それにはユーザーのＨＩＶウィルス（またはその他ＳＴＤ）の存在の診断テストについての説明が含まれる場合がある。ＰＤＤＡ１２は次にユーザーに一件かそれ以上の患者同意書を示す場合がある。ユーザーはＰＤＤＡ１２に承諾を示して同意するか、ＰＤＤＡ１２に非承諾を示して、説明された医療処置への同意を拒否することができる。どちらの場合でも、次にユーザーの相対的リスク度を判定するため、システム１０によって処理することができる行動パターンや医療情報に関する様々な質問への回答提出をユーザーは要請される。判定されるリスク度は、ユーザーがＨＩＶウィルスのような伝染疾病を感染する可能性を示す。ＰＤＤＡ１２は上記で説明するとおりＰＣタブレットのデバイス、または家にあるＰＣのような個人のプライバシーを守りやすく適切に配置された別のデバイスでもよいため、従来のように実際の面接者を使った面接環境では一般に達成できない率直さをユーザーに促すことのできる秘密保持レベルが有利に与えられる。更にユーザーは選択された質問を断るか、または選択された質問に対して返答するだけの充分な知識がユーザーに欠如していると述べることもできる。ＰＣタブレットデバイスはインク対応にできるため、ユーザーのコメントおよび／または質問をそれに続く面接またはセッションで適切に提示できるよう、コメントおよび/または質問をＰＣタブレットデバイスに直接書いて入力することもできる。
【００１７】
さらにそれ以外のオプションもユーザーに与えられる。例えば、ユーザーは服用中の医薬品について質問される場合がある。従ってユーザーは医薬品の名前および/またはグラフィック画像に基づいて医薬品を特定するよう要請される場合がある。オプションとして、ユーザーは医薬品への信頼度をスライド制の図形および／または英数字か百分率で表現するよう要請される場合がある。
【００１８】
ユーザーが少なくとも選択された質問の部分に返答を提出すると、返答はシステム１０により処理される。処理された返答に基づき、関連情報をユーザーに提供できる一つかそれ以上のビデオによるプレゼンテーションをユーザーが見ることができる。特に処理された結果に基づき、ビデオのプレゼンテーションは有利にそのユーザーを対象にすることができる。ユーザーはまた、ＨＩＶウィルスの感染リスクを低減するためにユーザーが行うかもしれない特定の目的に関して返答するよう要請される場合がある。ユーザーに高いリスク度を与える、または比較的低いリスク度を提供すると考えられる個人的行動および／または習慣に関して、ユーザーにフィードバックを提供するために処理後の返答が使われる場合がある。いずれにしても一般的なリスク度はリスクの程度を示す記号で表現できる。リスク度をユーザーに伝達するために記号は適切な形および／または適切な色で表現することができる。セッションの最後には、疾病回避プランがユーザーに提供される。
【００１９】
図２は本発明の別の実施例に従って、疾病リスク評価および／または教育サービスを提供するソフトウェア製品３０のブロック図である。簡単かつ一般用語で、図１のプロセッサー１８によってホストされ実行されるようソフトウェア製品３０は設定される。代わりに他の部分がＰＤＤＡ１２内で主催され実行される一方で、ソフトウェア製品３０をプロセッサー１８によって部分的にホストし実行することができる。どちらの場合にも、ユーザーとＰＤＤＡ１２間で選択する触覚、グラフィックまたは音声対話によって、ユーザーがプロセッサー１８および／またはＰＤＤＡ１２と通信できる様々なユーザーインタフェースを生成できるようソフトウェア製品３０を設定できる。代わりに、マウスのような様々な周知の位置決めデバイス、またはスタイラスを使ってユーザーとＰＤＤＡ１２間の通信を行いやすくできる。
【００２０】
ソフトウェア製品３０には、図１のシステム１０に入力するよう選択された識別用および統計情報を要請する摂取モジュール３２が含まれる。例えば、ユーザーにシステム１０へのアクセスを許可する秘密情報を提供するよう適切なインタフェース手段によって促される場合がある。例えばユーザーは予め決めたパスワードを提供するよう促される場合がある。代わりに、ユーザーは一般にユーザーのみ知りえるその他の識別情報を提供するよう促される場合があり、それらには例えばユーザーの真ん中のイニシャル、ユーザーの母の旧姓、父のイニシャルまたはその他同様の情報などが含まれる。またユーザーの出生日、性別、民族またはその他同様の情報のような統計的情報が必要となる場合もある。
【００２１】
図３を参照すると、本発明の別の実施例に従って摂取モジュール３２が生成したユーザーインタフェース４０が示される。ユーザーインタフェース４０にはインタフェース４０のユーザーが様々な情報項目を入力できるよう情報部分４２が含まれる。インタフェース４０には、情報部分４２の内容を説明する音声プレゼンテーションをユーザーが起動したり停止したりできる音制御アイコン４４が含まれる。ユーザーインタフェース４０にはまた、音声プレゼンテーションを提供するガイド４８の映像を示すガイドフレーム４６が含まれる。
【００２２】
図４は、本発明の別の実施例に従って図２の摂取モジュール３２が生成したユーザーインタフェース５０である。ユーザーインタフェース５０には、ソフトウェア製品３０の実行全体を通して使われるガイドとしてインタフェース５０でユーザーが選択できるグラフィック描写のガイド５２、５４、５６および５８が含まれる。一旦ユーザーが選択すると、ガイドの映像がガイドフレーム４６に表示される。例えば図４ではユーザーがガイド５４を選択し、それに対応してガイド５４がガイドフレーム４６に表示される。
【００２３】
図２に戻ると、ソフトウェア製品３０には選択したリスク情報項目が図１のシステム１０に提供されるよう要請するリスク評価モジュール３４が含まれる。例えばユーザーの性的行為に関する秘密情報および／または静脈内麻薬の使用に関する情報を提供するよう、ユーザーが適切なインタフェース手段により促される場合がある。秘密情報には深刻な衛生状態がある、うつ病があるなどユーザーの精神状態並びに麻薬、アルコールその他の飲酒へのユーザーの最近の経験など、その他の衛生関連問題が含まれる場合がある。
【００２４】
図５は、本発明の別の実施例に従って図２の摂取モジュール３２が生成したユーザーインタフェース６０である。ユーザーインタフェース６０はユーザーに一つかそれ以上の参照オプション６２を提示でき、オプション６２が選択されるとユーザーが参照できるビデオの内容を説明する。例えば図５に示すように、参照オプション６２はユーザーにＨＩＶテストに関するビデオの内容を見るようユーザーに要請する。ビデオの内容は自動的に再生を初め、ビデオウィンドウ６６に示すツールバー６４を使ってユーザーはビデオの内容の再生、一時停止または規模調整を開始できる。ビデオウィンドウ６６に示す図は選択されたガイド５４とは異なるが、ガイド５４を使ってビデオウィンドウ６６に表示される選択ビデオの内容を説明できることが理解される。ユーザーが参照オプション６２に説明するビデオの内容を参照したくない場合、ユーザーはユーザーインタフェース６０の継続オプション６８を選択できる。それに応じて別の参照オプション６２がユーザーに提示され、ユーザーのオプションで選択または拒絶できる。
【００２５】
次に図６を参照すると、本発明の別の実施例に従って摂取モジュール３２が生成したユーザーインタフェース７０が示される。図５のユーザーインタフェース６０上のユーザーの参照選択に対応してユーザーインタフェース７０が生成される。例えば図６では、ユーザーにいかなる医療処置を行う前にもインフォームドコンセントを入手する一般条件に適合する同意書７２をユーザーは提示される。同意書７２には、選択トピック７４に関連する書面による内容７６を含む同意書に関する、一つかそれ以上の一般トピック７４が含まれる場合がある。それに応じてユーザーが望む場合は、トピック７４のそれぞれと関連するアイコンを実行して書面による内容７６を参照できる。ユーザーが同意書７２で説明する処置に同意する場合、ユーザーは承諾を示すアイコン８８を実行する、あるいは代わりにユーザーは処置を行うことに同意をしないと、アイコン７９が実行される。
【００２６】
次に図７aを参照すると、本発明の別の実施例に従ってリスク評価モジュール３４が生成した別のユーザーインタフェース８０が示される。ユーザーインタフェース８０には、ユーザーのリスク評価に関して特定の質問を提起する最低一つのリスク情報クエリ８２が含まれる。例えば図７aで示すクエリ８２は、ユーザーがＨＩＶウィルスに曝された可能性があり高リスクと認識される１９７８年から発生している行動についての情報を特に要請する。秘密情報ブロック８４はユーザーにクエリ８２から生じる様々な特定の質問を選択させることができる。例えば秘密情報ブロック８４にはユーザーが性感染症（ＳＴＤ）に感染したかどうか、またユーザーが静脈内麻薬を使用したかどうかなどの質問を含む場合がある。ユーザーが答えを決められない場合、または個人的な理由で秘密情報ブロック８４にあるどの質問にも返答を拒む場合、ユーザーはユーザーインタフェース８０の一つかそれ以上の返答オプション８６にアクセスすることができる。返答オプション８６はユーザーにブロック８４の特定の質問を考慮したがそれに対して返答をしない（または返答できない）ことを示す機会が与えられる。例えば返答オプション８６は、ユーザーに返答するのに充分な情報が欠如している（「知らない」）と答える、またはユーザーは特定の質問に対して答えないことを選べる（「答えたくない」）よう設定できる。返答オプション８６はユーザーに一つの選択または代わりに複数の選択をさせることができる。
【００２７】
さらに他のユーザーインタフェース８０も可能である。例えば図７ｂで示すとおり、インタフェース８０は人種背景を判断するようユーザーに提示できる。背景にはユーザーの文化的背景またはユーザーが慣れている言語を含むことができる。図７ｃに示すインタフェース８０はユーザーが服用している医薬品の話題を取り入れるのに使うことができる。例えば図７ｄに示すインタフェース８０はユーザーの年齢を確定するのに使える一方で、図７ｃに詳しく示すインタフェース８０はユーザーが服用しているかもしれないＨＩＶ薬を参照する。図７eと図７ｆのインタフェース８０は、ユーザーの性的履歴および性的習慣をそれぞれ判断するのに使える。図７ｇは、ユーザーが服用しているかもしれない一つかそれ以上の医薬品またはその他薬物を判断するのに使えるもう一つのインタフェース８０を示す。図７ｇに示すインタフェース８０は、判定された医薬品および／または薬物に関連して服用頻度を判定するのに使うことができる。
【００２８】
図８は本発明の別の実施例に従って図２のリスク評価モジュール３４が生成した、別のユーザーインタフェース９０である。ユーザーインタフェース９０はユーザーがＨＩＶの状態に対処するために服用している可能性のある選択医薬品を明確に識別させることができる。従って少なくとも１件のクエリ９２または複数のクエリ９２がインタフェース９０に提示され、医薬品の名前および／または医薬品投与量のグラフィック表示９４によって明確に医薬品を識別するようユーザーに要請する。
【００２９】
図８ａのインタフェース８０に示す医薬品に関する質問に続いて、発明の別の実施例に従って図２のリスク評価モジュール３４で生成されるユーザーインタフェース９０を図８ｂで提示する。ユーザーインタフェース９０はユーザーが服用している可能性のある医薬品に関してユーザーから情報を入手するために使用できる。ユーザーが識別した薬を処方どおりに服用できる確信度を示すため、スライダースケールグラフィック９６が提供される。ユーザー選択の数値がスライダースケールグラフィック９６の隣の小さなテキスト領域９７に表示できる。
【００３０】
図２に再度戻り、ソフトウェア製品３０にはリスクフィードバックモジュール３６も含まれる。リスクフィードバックモジュール３６は一般に、ユーザーのリスクの個人化した評価が提供され、ユーザーが述べた行動に関連したユーザーのリスクを評価する基盤を提供する。
【００３１】
次に図９を参照すると、本発明の別の実施例に従ってリスクフィードバックモジュール３６が生成するユーザーインタフェース１００が示される。ユーザーインタフェース１００にはインタフェース１００に提示される主題を紹介する記述が含まれる。例えば図９に示すインタフェース１００は、開示された行動の特徴に関連するリスクレベルを、ユーザーが視的に評価できる相対的リスクスケール１０４を紹介している。リスクスケール１０４はリスク度を図で示すリスクアイコン１０６を含むことができる。例えば比較的低いリスク度に関連するアイコン１０６には最初の色および／または最初の幾何学形を使うことができる。中度のリスク度に関連するアイコン１０６には二番目の色および／または二番目の幾何学形を使い、比較的高リスク度に関連するアイコン９６には三番面の色および/または幾何学形を使う。
【００３２】
図１０は本発明の別の実施例に従って図２のリスクフィードバックモジュール３６が生成した、さらに別のユーザーインタフェース１２０である。ユーザーインタフェース１２０は、ユーザーの開示された行動の特徴と以前関連付けられた複数のビデオ内容オプション１１２をユーザーに提示するよう設定できる。オプション１１２のうち一つを選択すると、ユーザーはオプション１１２に関連付けられたビデオの内容をビデオウィンドウ６６で参照する。例えば、表示するコンドームの使用に関連するビデオの内容がオプション１１２でユーザーに提示できる。さらに別のオプション１１２もユーザーインタフェース１２０で提示できる。例えば図１１ａに示すように、オプション１１２は禁欲、安全なセックスの選択、およびユーザーによって参照されるその他の同様の主題に関するビデオの内容のオプション１１２を選択できる。図１１ａに示すインタフェース１２０はユーザーに三つの選択肢を可能にするが、図１１ｂに詳細を示す別の実施例では、選択内容の「寸評」の説明や要約を含む複数の選択肢をユーザーに提示できる。
【００３３】
図２に再度戻り、ソフトウェア製品３０にはリスク低減モジュール３８も含まれる。リスク低減モジュール３８は一般に、ユーザーに選択するリスク領域を絞らせ、可能な目標として選んだ目標を含むプランを提供できる。
【００３４】
次に図１２を参照すると、本発明の別の実施例に従ってリスク低減モジュール３８が生成するユーザーインタフェース１３０が示される。ユーザーインタフェース１３は、リスク低減のためにユーザーが追求できる分野に焦点をあてることができる複数のクエリ１３２を提供する。例えば図１２で示すとおり、禁欲から麻薬やアルコールの摂取削減にいたるまでの選択オプションをユーザーは選択できる。
【００３５】
図１３は本発明の別の実施例に従って、図２のリスク低減モジュール３８で生成できる別のユーザーインタフェース１４０である。ユーザーインタフェース１４０は、提案されるプランを達成するためにユーザーが行える更なるステップ１４２について詳しく述べる。例えばユーザーは性交渉相手とＨＩＶテストを行うことを約束するか、またはＨＩＶテストの可能性について単に語ることができる。
【００３６】
次に図１４を参照すると、本発明の別の実施例に従ってリスク低減モジュール３８が生成するユーザーインタフェース１３０が示される。ユーザーインタフェース１５０は、リスク低減のためにユーザーが追求できる分野に焦点をあてることができる複数のクエリ１５２を提供する。例えば図１４で示すとおり、リスク低減目標を達成する上でユーザーは自身の意図と確信度に焦点をあてることができる。例えば図１４に示すユーザーインタフェース１５０は、更なる対人能力を身につける必要性などの個人的な欠点に関連してクエリ１５２に返答する機会をユーザーに与える。そのほかに、その他のクエリ１５２は性交渉相手など別の人との潜在的問題に向けることができる。
【００３７】
図１５ａは本発明の別の実施例に従って、図２のリスク低減モジュール３８が生成した別のユーザーインタフェース１６０である。ユーザーインタフェース１６０は、以前のソフトウェアモジュールの実行中に収集した情報を処理して作成した個人レポート１６２をユーザーに提示する。個人レポート１６２には、表明した目標達成においてユーザーの意図と確信度に適合した特定のリスク低減行動目標および個人行動のガイドラインに関する特定の推薦が含まれる。ユーザーが個人的利益のため、またはカウンセリングで使うため、個人レポート１６２の自分用のコピーを望む場合、コピーのボタン１６４を押してコピーを生成できる。
【００３８】
次に図１５ｂを参照すると、発明の別の実施例に従って疾病リスク評価と教育メソッドのためのソフトウェアインプリメンテーション２００のブロック図を示す。一般論として、ソフトウェアインプリメンテーション２００は周知の市販ソフトウェアアプリケーションおよびプログラム用言語を使って実施できる。例えば、インプリメンテーション２００に関連する内容はマイクロソフトコーポレーション製ＥＸＣＥＬのようなスプレッドシートのアプリケーションに含まれていてもよく、他の適切なスプレッドシートアプリケーションも使用可能であり、使用することができる。現在の文脈では、内容は一般に一つかそれ以上の前記ユーザーインタフェースでユーザーに提示された調査質問、およびユーザーの返答に対応してユーザーに戻された応答のようなその他のテキストのことである。
【００３９】
ソフトウェアインプリメンテーション２００には、ロジックエンジンアセンブリーモジュール２０２が含まれ、さらに少なくとも内容を実行するロジック規則実施を提供するロジックエンジンも含まれる。例えば、ロジックエンジンアセンブリーモジュール２０２で実施されるロジック規則には、ユーザーへの適切な質問と許容される答えを含むことができる。ロジックエンジンアセンブリーモジュール２０２には、図１のデータ記憶ユニット２０のようなディスク記憶デバイスに情報を読み込むおよび／または書き込むのに使われるデータアクセス層を含むことができる。図１５ａには示されないが、アセンブリーモジュール２００にはユーザーにセッションを作成する構造やメソッドを定義する、セッションアセンブリーモジュールを含めることができる。
【００４０】
ソフトウェアインプリメンテーション２００にはまたインプリメンテーション２００で使われる全ての書式を提供するよう設定された主要アプリケーションアセンブリーモジュール２０４が含まれ、更にユーザーがインプリメンテーション２００を検索できるよう適切な指示を提供することができる。制御アセンブリーモジュール２０６にはインプリメンテーション２００で使われる様々な制御が含まれる。例えば制御アセンブリーモジュール２０６には、図８ｂのユーザーインタフェース９０で使われるアナログおよび／または１０進スライダースケール９６を制御するインプリメンテーションを含むことができる。その他の制御も制御アセンブリーモジュール２０６に含むことができ、それには図１１ｂのユーザーインタフェース１２０に詳しく示すように、ユーザーが参照するため様々な選択ビデオの選択を制御するインプリメンテーションを含むことができる。
【００４１】
引き続き図１５ｂを参照して、インプリメンテーション２００にはアプリケーションで使われる様々な調査質問タイプを含む質問アセンブリーモジュール２０８が含まれる。各質問のタイプは相異なるクラスインプリメンテーションを有する。例えば、質問アセンブリーモジュール２０８には「データ」タイプの質問を含む導出クラスが含まれ、その他のクラスには「長さ」または「数」タイプの質問に関連する導出クラスが含まれる。更に別のクラスには一つかそれ以上のビデオの表示につながる質問を対象にした導出クラスが提供される。質問アセンブリーモジュール２０８にはまた省略および返答クラスのインプリメンテーションを提供する場合もある。返答をユーザーから集めるべきかどうかを決めるため、返答クラスは名前値の質問組を追跡する。省略クラスはセッション中に使われる質問ルーティングロジックを実施し、返答しなかった、および／または非関連質問は省略することができる。
【００４２】
インプリメンテーション２００にはイベントセッションのアセンブリーモジュール２１０も含まれ、ユーザーが選択および／または表示できるよう実行時間で調査質問および返答の構築を設定する。一旦ユーザーが質問に答え調査を継続することを選ぶと、省略ロジック（質問アセンブリーモジュール２０８で提供された）は、ユーザーに次はどの質問を提示するかについてシステムに通知する。
【００４３】
前記のソフトウェアインプリメンテーション２００は、本出願に含まれるＣＤＲＯＭディスクのソフトウェアで実施され、以下のように題される。「疾病リスク低減および評価用システム、メソッドおよびコンピューター製品-ソースコード」および「疾病リスク低減および評価用システム、メソッドおよびコンピューター製品-ソフトウェアプログラム」（ＣＤ−ＲＯＭソフトウェアの内容が参照として本出願に取り込まれる）。
【００４４】
次に本発明の別の実施例に従う調査ツールについて詳しく説明する。調査ツールはウィンドウズのコンピューター、ラップトップまたはタブレットＰＣ用に設計されたWinFormsとして実施できる。調査ツールは５つの基本プロジェクトまたはアセンブリーに再分割できる。各アセンブリーの詳細は以下の項で説明する。５つのアセンブリーとは、「基本」アプリケーションクラスであるQAR_Engineアセンブリー、アプリケーションフォームと「主要」プログラムコードを含むMain Appアセンブリー、アプリケーションで使用するカスタムユーザーインタフェース（ＵＩ）制御クラスを含む CASIC Controlアセンブリー、調査質問を実施するクラスを含むQuestionTypesアセンブリー、および質問のテキスト、メディア経路および省略ロジックを含む調査内容を含むCareSessionアセンブリーである。
【００４５】
QAR_Engineアセンブリーには三つの基本クラスに分割されるアプリケーションコードの大部分が含まれる。また調査質問用のテキスト文字列とシステム内のその他テキスト文字列を収容するリソースファイルも含まれる。これらの文字列は集合的に質問テキスト、質問返答テキストおよびシステム内で使われるその他のテキスト文字列である。本モジュールが実施する３つのクラスはファサードクラスで、調査質問を実行するインプリメンテーションとビジネスロジックを含む。これは調査質問と許容される答えを司るセッションの目的を制御する。セッションクラスは、実際のアプリケーションの内容を含むセッションの事例を作成する構造とメソッドを定義する。QAR_EngineはCAREツールの中核である。これはデータアクセス層（ＤＡＬ）およびロジックエンジンから成る。ＤＡＬは情報をディスクに読み込む／書き込むために使われる。ユーザーのセッションデータ、調査質問への返答およびリスク低減プラン手順は全てシステム内に保存される。ロジックエンジンのコンポーネントには、調査質問を実行するインプリメンテーションとビジネスロジックが含まれる。これは調査質問と許容される答えを司るセッションの目的を制御する。
【００４６】
MainAppアセンブリーにはアプリケーションで使われる全てのフォームが含まれ、MainAppクラスをインスタンス化しアプリケーションを実行するMainApp Main() 機能を使ったアプリケーションを開始する。初期化が完了すると、ユーザーは実行中のインスタンスを託される。一旦ログイン過程が完了すると、システムはログインフォームを閉じQuestionConsumingFormのインスタンスを実行する。このフォームは残りの調査で使われる。ユーザーが調査を含む調査制御を検索すると、質問は書式に追加および削除される。
【００４７】
CASICControlアセンブリーにはアプリケーション用に書かれたカスタム制御が含まれる。その制御には次が含まれる。その他すべての質問制御を制御するBaseControlは、アナログのスライダースケールのUIインプリメンテーションであるAnalogListQControlから導出される。スケールは規則的間隔ごとに目盛りで色わけした棒から成る。ユーザーが棒に沿って選択を行うと、選択値は棒の下に表示される。AnalogDecimalQControlは十進スライダースケールのＵＩインプリメンテーションである。機能的にアナログスケールに似ており、唯一の相違点は十進スケールの棒が任意数の個別部分に分割されていることである。
【００４８】
ContainerListControlは共用リストなしのコンテナ質問のＵＩインプリメンテーションである。
【００４９】
ContainerShareListControlは共用リストの付いたコンテナ質問のＵＩインプリメンテーションである。
【００５０】
DateTimeQControlは日時質問タイプのＵＩインプリメンテーションである。
【００５１】
HowLongQControl は日時質問タイプのＵＩインプリメンテーションである。
【００５２】
HowManyQControlは日時質問タイプのＵＩインプリメンテーションである。
【００５３】
ListQControlはリスト質問タイプのＵＩインプリメンテーションである。単一および複数選択の両方をサポートする。
【００５４】
LongListQControlはリスト質問タイプのＵＩインプリメンテーションである。標準ListQControlには長すぎるリストをサポートする。
【００５５】
PictureListControl は映像リスト質問タイプのＵＩインプリメンテーションである。
【００５６】
PopUpKeyboard 、この制御はタブレットＰＣ統合専用に書かれたもので、スタイラスユーザーに数字またはテキストデータの入力を可能にする。
【００５７】
TextQControl はテキスト質問タイプのＵＩインプリメンテーションである。
【００５８】
VideoListQControl はユーザーに複数のビデオを見るために選択するのを可能にする。
【００５９】
VideoQControl は 単一のビデオ質問を表示する。
【００６０】
ViraLoad はＨＩＶ陽性のユーザー用で、アプリケーションは複数の訪問に渡って彼らのウィルス負荷を追跡する。ウィルス負荷グラフは全ての以前の訪問に対する値を図表の書式に表示する。
【００６１】
QuestionTypesアセンブリにはアプリケーションで使われる調査質問タイプが含まれる。各質問タイプは各自のクラスインプリンメンテーションを有し、ASCISBaseクラスから導出される。このアセンブリー内のクラスの完全なリストには次が含まれる。
【００６２】
BaseQuestion は共用インプリメンテーションベースクラスで、ラベル質問および単一数値の答に使われる。
【００６３】
DateTimeQuestionは「日付」質問の導出クラスである。
【００６４】
HowLongQuestion は「長さ」質問への導出クラスである。
【００６５】
HowManyQuestion は「数」質問への導出クラスである。
【００６６】
TextQuestion はテキスト返答をユーザーに要請するための質問の導出クラスである。
【００６７】
ListQuestion は単一リスト項目をユーザーに選択してもらう質問の導出クラスである。
【００６８】
MultipleSelectListQuestion は一つかそれ以上のリストitemsAnalogBaseQuestionをユーザーに選択してもらう質問用の導出クラスで、アナログスケールからユーザーに選択してもらう質問の導出クラスである。アナログスライダーの質問はユーザーの確信度を計るのに使われ、大半は０から１００％のスケールであるが、質問は任意のスケール数で行える。
【００６９】
DecimalScaleQuestion は特定項目でスケールからユーザーに選択してもらう質問の導出クラスである。機能的にアナログスケールに似ており、唯一の相違点は十進スケールの棒が任意数の個別部分に分割されていることである。
【００７０】
DecimalQuestion は十進（非整数）値で質問の導出クラスである。
【００７１】
ImageListQuestion は数々の画像からユーザーに選択してもらう質問の導出クラスである。
【００７２】
ContainerQuestion は共用リストの副質問なしでのコンテナ質問の導出クラスである。
【００７３】
SharedListContainerQuestion は同一の返答タイプでの数々のリスト副質問でコンテナ質問の導出クラスである。
【００７４】
VideoQuestion は一つかそれ以上のビデオを表示する質問の導出クラスである。
【００７５】
加えてこのクラスは、返答および省略クラスへのインプリメンテーションも提供する。返答をユーザーから集めるべきかどうかを決めるため、返答クラスは名前値の質問組を追跡する。省略クラスは調査セッション中に使われる質問ルーティングロジックを実施する。
【００７６】
CARESessionアセンブリーは抽象クラスQAR_Engine.Sessionのインスタンスである。調査質問や返答をランタイムで構築し、様々な調査質問や答えを選択/表示するのに使われる。一旦調査の応答者が質問に答え継続を選択すると、検索または「省略」ロジックがシステムにどの質問を次に処理するかを指示する。
【００７７】
図１６は本発明の別の実施例に従って、疾病リスク評価と教育メソッド１７０を説明するフローチャートである。ブロック１７２では、セッションの初めに個人および／または識別情報がユーザーから入手される。情報にはユーザーのみが知り得る秘密のパスワードを含むか、または母の旧姓、父のイニシャルまたはその他同様の情報などが関わる場合がある。ブロック１７４では、セッションガイドをユーザーが選択できる。セッションガイドは視聴覚の内容をユーザーに提供するため、ユーザーに限られた言語能力で有利にメソッド１７０を使ってもらうことができる。ブロック１７６では、ユーザーは疾病予防に関する選択されたビデオを参照する。例えば選択されたビデオセグメントは、疾病の存在に関してユーザーをテストする情報を提供できる。ビデオセグメントの最後に、ユーザーは疾病の存在を判定するための医療検査への同意を提供するよう要請される場合がある。ブロック１７８でユーザーは、行動および病歴に関する複数の質問を提示される。例えばユーザーの性的履歴が複数の質問の対象になる場合がある。複数の質問に対して、ユーザーは答えることを拒否するか、知識が充分でないために答えることができないと示すことができる。追加として、ユーザーは特定の疾病の状態を述べるため、ユーザーが服用している可能性のある薬のすべてを識別できる。ブロック１８０では、ユーザーから受けた返答はプラン生成のため処理される。行動オプションは次にユーザーに提示され、ユーザーからの返答を得る。それに対して、ブロック１８２で示すとおりにプランを変更するため更に返答を処理できる。ブロック１８４では最終プランが生成され、プランのコピーがユーザーに提供される。
【００７８】
引き続き図１６を参照して、追加項目をプランに加えたりプランから削除したりできるよう、メソッド１７０をユーザーが繰り返すことができる。このようにして、プランへの変更は選択する期間中に行える。特定の実施例では、選択される期間は約６０日である。選択した期間以上が経過した場合、メソッド１７０は変更できない場合がある。その代わりに、ユーザーは新しいプランをコンパイルできる。
【００７９】
上記のように本発明の様々な実施例が図示され説明されているが、本発明の精神や範囲を離脱することなく多くの変更を行える。例えば本発明の前記実施例はＨＩＶおよび／またはＳＴＤの個人感染者、または少なくとも感染リスクのある個人に関連する教育内容、評価および計画が対象であるが、しかしながら様々な開示実施例は、糖尿病、心臓病その他の有機病などの疾病に冒されている個人か、または発病するリスクのある個人の教育、評価およびリスク低減および／または行動修正プランを準備するために有利に採用できることが理解できる。特に前記実施例は、体重減量プログラム、喫煙低減および／または禁煙プログラム、アルコールおよび／または薬物療法プログラムあるいはその他同様のプログラムのような、行動が関係する部分が存在する場合に有利に採用できる。従って発明の範囲は、様々な実施例の開示によって制限されるものではない。むしろ発明は以下に続く請求項への全体の参照によって判定されるべきである。
【図面の簡単な説明】
【００８０】
【図１】本発明の一実施例によるコンピューター支援の疾病リスク評価と教育システム１０のブロック図である。
【図２】本発明の別の実施例に従って、疾病リスク評価と教育サービスを提供するソフトウェア製品のブロック図である。
【図３】本発明の別の実施例に従って、図２のソフトウェア製品の摂取モジュールが生成したユーザーインタフェースである。
【図４】本発明の別の実施例に従って、図２のソフトウェア製品の摂取モジュールが生成したユーザーインタフェースである。
【図５】本発明の別の実施例に従って、図２のソフトウェア製品のリスク評価モジュールが生成したユーザーインタフェースである。
【図６】本発明の別の実施例に従って、図２のソフトウェア製品のリスク評価モジュールが生成したユーザーインタフェースである。
【図７ａ】本発明の別の実施例に従って、図２のソフトウェア製品のリスク評価モジュールが生成したユーザーインタフェースである。
【図７ｂ】本発明の別の実施例に従って、図２のソフトウェア製品のリスク評価モジュールが生成したユーザーインタフェースである。
【図７ｃ】本発明の別の実施例に従って、図２のソフトウェア製品のリスク評価モジュールが生成したユーザーインタフェースである。
【図７ｄ】本発明の別の実施例に従って、図２のソフトウェア製品のリスク評価モジュールが生成したユーザーインタフェースである。
【図７ｅ】本発明の別の実施例に従って、図２のソフトウェア製品のリスク評価モジュールが生成したユーザーインタフェースである。
【図７ｆ】本発明の別の実施例に従って、図２のソフトウェア製品のリスク評価モジュールが生成したユーザーインタフェースである。
【図７ｇ】本発明の別の実施例に従って、図２のソフトウェア製品のリスク評価モジュールが生成したユーザーインタフェースである。
【図８ａ】本発明の別の実施例に従って、図２のソフトウェア製品のリスク評価モジュールが生成したユーザーインタフェースである。
【図８ｂ】本発明の別の実施例に従って、図２のソフトウェア製品のリスク評価モジュールが生成したユーザーインタフェースである。
【図９】本発明の別の実施例に従って図２のリスク評価モジュールが生成した、また別のユーザーインタフェースである。
【図１０】本発明の別の実施例に従って図２のリスクフィードバックモジュールが生成した、また別のユーザーインタフェースである。
【図１１ａ】本発明の別の実施例に従って、図２のリスクフィードバックモジュールが生成した、また別のユーザーインタフェースである。
【図１１ｂ】本発明の別の実施例に従って、図２のリスクフィードバックモジュールが生成した、また別のユーザーインタフェースである。
【図１２】本発明の別の実施例に従って、図２のリスク低減モジュールが生成したユーザーインタフェースである。
【図１３】本発明の別の実施例に従って、図２のリスク低減モジュールが生成した別のユーザーインタフェースである。
【図１４】本発明の別の実施例に従って、図２のリスク低減モジュールが生成したユーザーインタフェースである。
【図１５ａ】本発明の別の実施例に従って、図２のリスク低減モジュールが生成した別のユーザーインタフェースである。
【図１５ｂ】本発明の別の実施例に従って、疾病リスク評価と教育メソッドのためのソフトウェアインプリメンテーションのブロック図である。
【図１６】本発明の別の実施例に従って、疾病リスク評価と教育メソッドを説明するフローチャートである。
【図１】
2008518365.tif 000003
【図２】
2008518365.tif 000004
【図３】
2008518365.tif 000005
【図４】
2008518365.tif 000006
【図５】
2008518365.tif 000007
【図６】
2008518365.tif 000008
【図７ａ】
2008518365.tif 000009
【図７ｂ】
2008518365.tif 000010
【図７ｃ】
2008518365.tif 000011
【図７ｄ】
2008518365.tif 000012
【図７ｅ】
2008518365.tif 000013
【図７ｆ】
2008518365.tif 000014
【図７ｇ】
2008518365.tif 000015
【図８ａ】
2008518365.tif 000016
【図８ｂ】
2008518365.tif 000017
【図９】
2008518365.tif 000018
【図１０】
2008518365.tif 000019
【図１１ａ】
2008518365.tif 000020
【図１１ｂ】
2008518365.tif 000021
【図１２】
2008518365.tif 000022
【図１３】
2008518365.tif 000023
【図１４】
2008518365.tif 000024
【図１５ａ】
2008518365.tif 000025
【図１６】
2008518365.tif 000026
【国際調査報告】
2008518365.tif 000027
2008518365.tif 000028